【誤訳訂正書】
【提出日】令和3年10月8日(2021.10.8)
【誤訳訂正１】
【訂正対象書類名】明細書
【訂正対象項目名】０４２９
【訂正方法】変更
【訂正の内容】
【０４２９】
サービス要求がユーザーデータにトリガーされると、UEは、NASサービス要求メッセージにPDUセッションID（ｓ）を含んで、UEが使用する必要があるPDUセッションを示す。サービス要求がシグナリングだけのためにトリガーされると、UEには、任意のPDUセッションIDが含まれない。この手順が、ページング応答のためにトリガーされると、UEは、いくつかのPDUセッションを使用する必要がある場合は、UEは、MM NASサービス要求メッセージにPDUセッションID（ｓ）を含んで、UEが使用する必要があるPDUセッションを示す。そうでなければ、UEは、任意のPDUセッションIDを含まないであろう。
【誤訳訂正２】
【訂正対象書類名】明細書
【訂正対象項目名】０４３６
【訂正方法】変更
【訂正の内容】
【０４３６】
４．[条件付き] AMF to SMF：N１１メッセージ（PDUセッションID（ｓ）、理由、UEの位置情報）。
【誤訳訂正３】
【訂正対象書類名】明細書
【訂正対象項目名】０４３８
【訂正方法】変更
【訂正の内容】
【０４３８】
- MM NASサービス要求メッセージがPDUセッションID（ｓ）を含むか、またはこの手順がSMFによってトリガーされるが、UEからのPDUセッションIDがこの手順をトリガーするSMFの他のSMFとの相関関係がある場合には、AMFはN１１メッセージをPDUセッションの「ユーザー平面資源の確立（establishment）」を指示するように設定された理由を持っているPDUセッションID（ｓ）に関連するSMFに送る。
【誤訳訂正４】
【訂正対象書類名】明細書
【訂正対象項目名】０４８４
【訂正方法】変更
【訂正の内容】
【０４８４】
１．UE to（R）AN：MM NASサービス要求（PDUセッションID（ｓ））。
【誤訳訂正５】
【訂正対象書類名】明細書
【訂正対象項目名】０４８５
【訂正方法】変更
【訂正の内容】
【０４８５】
UEは、RRCメッセージとしてカプセル化されたAMFに向くNASサービス要求メッセージをRANに送信する。MM NASサービス要求メッセージは、暗号化され、整合性保護されるべきである。NASサービス要求メッセージのPDUセッションID（ｓ）は、UEが有効させるように選択したPDUセッションを示す。
【誤訳訂正６】
【訂正対象書類名】明細書
【訂正対象項目名】０４８８
【訂正方法】変更
【訂正の内容】
【０４８８】
３．[条件付き] AMF to SMF：N１１メッセージ（PDUセッションID（ｓ））。
【誤訳訂正７】
【訂正対象書類名】特許請求の範囲
【訂正対象項目名】全文
【訂正方法】変更
【訂正の内容】
【特許請求の範囲】
【請求項１】
無線通信システムにおいてアクセス及び移動性管理機能（ＡＭＦ）がサービス要求の手順を実行する方法であって、
アクセスネットワーク（ＡＮ）から、端末（ＵＥ）により使用されるサービスを要求するための要求メッセージを受信するステップと、
セッション管理機能（ＳＭＦ）に、前記要求メッセージ内で要求される前記サービスと関連するＰＤＵセッションＩＤを含む第１のメッセージを送信するステップと、
前記第１のメッセージに対する応答メッセージを前記ＳＭＦから受信するステップと、
前記第１のメッセージに対する前記応答メッセージに基づいて、前記要求メッセージに対する応答メッセージを前記ＵＥに送信するステップと、
を含み、
前記要求メッセージに対する前記応答メッセージは、前記ＰＤＵセッションＩＤと関連するＰＤＵセッションのユーザー平面の確立が承認されるか否かを示す情報を含み、
前記ＳＭＦが、前記ＰＤＵセッションＩＤと関連するＰＤＵセッションのユーザー平面の確立を承認することに基づいて、
１）前記第１のメッセージに対する前記応答メッセージは、前記ＰＤＵセッションＩＤと関連するＮ２セッション管理（Ｎ２ ＳＭ）情報を含み、
２）前記Ｎ２ ＳＭ情報は、前記第１のメッセージに基づいて前記ＡＭＦから前記ＡＮに提供される情報を含み、
前記ＳＭＦが、前記ＰＤＵセッションＩＤと関連するＰＤＵセッションのユーザー平面の確立を拒絶することに基づいて、
１）前記第１のメッセージに対する前記応答メッセージは、拒絶に対する理由を含み、
２）前記要求メッセージに対する前記応答メッセージは、前記拒絶に対する理由に関連する情報を含み、
前記要求メッセージに対する前記応答メッセージは、複数のＳＭＦを含む複数のＰＤＵセッションに基づいて、全てのＳＭＦから前記第１のメッセージに対する前記応答メッセージを受信した後に送信される、方法。
【請求項２】
前記ＡＮは、前記Ｎ２ ＳＭ情報に基づいて前記ＵＥに対する無線リソース制御（ＲＲＣ）接続の再設定を実行するネットワークノードを含む、請求項１に記載の方法。
【請求項３】
前記要求メッセージに対する前記応答メッセージは、全てのＰＤＵセッションＩＤに対するＰＤＵセッションの確立の承認結果を含む、請求項１に記載の方法。
【請求項４】
前記要求メッセージに対する前記応答メッセージは、サービス承認メッセージに対応する、請求項１に記載の方法。
【請求項５】
無線通信システムにおいてサービス要求の手順を実行するよう構成されたアクセス及び移動性管理機能（ＡＭＦ）であって、
通信モジュールと、
少なくとも一つのプロセッサと、
前記少なくとも一つのプロセッサと動作可能に接続可能な少なくとも一つのコンピュータメモリと、を含み、
前記少なくとも一つのコンピュータメモリは、前記少なくとも一つのプロセッサにより実行されるとき、
前記通信モジュールを介してアクセスネットワーク（ＡＮ）から、端末（ＵＥ）により使用されるサービスを要求するための要求メッセージを受信し、
前記通信モジュールを介してセッション管理機能（ＳＭＦ）に、前記要求メッセージ内で要求される前記サービスと関連するＰＤＵセッションＩＤを含む第１のメッセージを送信し、
前記通信モジュールを介して前記ＳＭＦから、前記第１のメッセージに対する応答メッセージを受信し、
前記第１のメッセージに対する前記応答メッセージに基づいて、前記通信モジュールを介して前記ＵＥに、前前記要求メッセージに対する応答メッセージを送信することを含む動作を実行する命令を格納し、
前記要求メッセージに対する前記応答メッセージは、前記ＰＤＵセッションＩＤと関連するＰＤＵセッションのユーザー平面の確立が承認されるか否かを示す情報を含み、
前記ＳＭＦが、前記ＰＤＵセッションＩＤと関連するＰＤＵセッションのユーザー平面の確立を承認することに基づいて、
１）前記第１のメッセージに対する前記応答メッセージは、前記ＰＤＵセッションＩＤと関連するＮ２セッション管理（Ｎ２ ＳＭ）情報を含み、
２）前記Ｎ２ ＳＭ情報は、前記第１のメッセージに基づいて前記ＡＭＦから前記ＡＮに提供される情報を含み、
前記ＳＭＦが、前記ＰＤＵセッションＩＤと関連するＰＤＵセッションのユーザー平面の確立を拒絶することに基づいて、
１）前記第１のメッセージに対する前記応答メッセージは、拒絶に対する理由を含み、
２）前記要求メッセージに対する前記応答メッセージは、前記拒絶に対する理由に関連する情報を含み、
前記要求メッセージに対する前記応答メッセージは、複数のＳＭＦを含む複数のＰＤＵセッションに基づいて、全てのＳＭＦから前記第１のメッセージに対する前記応答メッセージを受信した後に送信される、ＡＭＦ。
【請求項６】
前記ＡＮは、前記Ｎ２ ＳＭ情報に基づいて前記ＵＥに対する無線リソース制御（ＲＲＣ）接続の再設定を実行するネットワークノードを含む、請求項５に記載のＡＭＦ。